(57)【要約】【課題】この発明は、記録媒体に記録された多数のデジタル画像の中から所望の画像を容易かつ迅速に選択して表示できるようにする。【解決手段】記録媒体１９に記録された複数枚のデジタル画像を規定枚数分読み出し、規定枚数分読み出されたデジタル画像を映像表示器１４の画面上に並べてサムネイル表示すると共に、サムネイル表示される複数画像の１枚を選択指定するためのカーソルを表示し、リモートコントローラ１７のカーソルキー、頁キーそれぞれのキー操作を検出し、制御部５６にて、その指定方向を判別し、指定方向に基づいて表示画像、表示頁を切り替える。このとき、頁キーにより右または左方向が指定されたとき、表示画像を規定枚数分プラス方向またはマイナス方向にシフトして次頁または前頁表示とし、下または上方向が指定されたとき、カーソルを表示中の末尾画像または先頭画像に移動させる。【選択図】    図２
2006094407.tif 000002
【特許請求の範囲】
【請求項１】
記録媒体に記録された複数枚のデジタル画像を規定枚数分読み出すデジタル画像読み出し手段と、
前記規定枚数分読み出されたデジタル画像を画面上に並べてサムネイル表示すると共に、前記サムネイル表示される複数画像の１枚を選択指定するためのカーソルを表示する表示手段と、
前記カーソルを前記表示画像に対して１枚ずつ移動させるカーソルキー、前記規定枚数に従って前記サムネイル表示画像を頁操作する頁キーそれぞれのキー操作を検出しその指定方向を判別するキー入力処理手段と、
前記キー入力処理手段で判別されるキー操作による指定方向に基づいて表示画像、表示頁を切り替える表示制御手段とを具備し、
前記表示制御手段は、
前記頁キーにより第１の方向が指定されたとき、表示画像を前記規定枚数分プラス方向にシフトして次頁表示とする次頁切替手段と、
前記頁キーにより第２の方向が指定されたとき、表示画像を前記規定枚数分マイナス方向にシフトして前頁表示とする前頁切替手段と、
前記頁キーにより第３の方向が指定されたとき、前記カーソルを表示中の末尾画像に移動させるカーソル末尾移動手段と、
前記頁キーにより第４の方向が指定されたとき、前記カーソルを表示中の先頭画像に移動させるカーソル先頭移動手段と、
を備えることを特徴とする映像再生装置。
【請求項２】
さらに前記表示制御手段は、
前記カーソルキーにより第１の方向が指定されたとき、前記カーソルを１枚次の表示画像にシフトする次画像シフト手段と、
前記カーソルキーにより第２の方向が指定されたとき、前記カーソルを１枚前の表示画像にシフトする前画像シフト手段と、
前記カーソルが表示中の末尾画像に位置している状態で前記カーソルキーにより第１の方向が指定されたとき、前記末尾画像の次の画像を読み出して全画像をシフト表示する次画像シフト手段と、
前記カーソルが表示中の先頭画像に位置している状態で前記カーソルキーにより第２の方向が指定されたとき、前記先頭画像の前の画像を読み出して全画像をシフト表示する前画像シフト手段と、
を備えることを特徴とする請求項１記載の映像再生装置。
【請求項３】
前記第１及び第２の方向はそれぞれ表示画像の配列方向であり、前記第３及び第４の方向はそれぞれ表示画像の配列方向とは直交する方向であることを特徴とする請求項１または２記載の映像再生装置。
【請求項４】
前記デジタル画像は、ＪＰＥＧ規格に準拠した形態で符号化されたデジタル映像信号であることを特徴とする請求項１乃至３のいずれか記載の映像再生装置。
【請求項５】
記録媒体に記録された複数枚のデジタル画像を読み出して画面上に規定枚数並べてサムネイル表示すると共に、前記サムネイル表示される複数画像の１枚を選択指定するためのカーソルを表示し、前記カーソルを前記表示画像に対して１枚ずつ移動させるカーソルキー、前記規定枚数に従って前記サムネイル表示画像を頁操作する頁キーそれぞれのキー操作を検出しその指定方向を判別し、キー操作による指定方向に基づいて表示画像、表示頁を切り替える映像再生装置に用いられ、
前記頁キーにより第１の方向が指定されたとき、表示画像を前記規定枚数分プラス方向にシフトして次頁表示とする次頁切替ステップと、
前記頁キーにより第２の方向が指定されたとき、表示画像を前記規定枚数分マイナス方向にシフトして前頁表示とする前頁切替ステップと、
前記頁キーにより第３の方向が指定されたとき、前記カーソルを表示中の末尾画像に移動させるカーソル末尾移動ステップと、
前記頁キーにより第４の方向が指定されたとき、前記カーソルを表示中の先頭画像に移動させるカーソル先頭移動ステップと、
を備えることを特徴とする映像再生方法。
【請求項６】
さらに、
前記カーソルキーにより第１の方向が指定されたとき、前記カーソルを１枚次の表示画像にシフトする次画像シフトステップと、
前記カーソルキーにより第２の方向が指定されたとき、前記カーソルを１枚前の表示画像にシフトする前画像シフトステップと、
前記カーソルが表示中の末尾画像に位置している状態で前記カーソルキーにより第１の方向が指定されたとき、前記末尾画像の次の画像を読み出して全画像をシフト表示する次画像シフトステップと、
前記カーソルが表示中の先頭画像に位置している状態で前記カーソルキーにより第２の方向が指定されたとき、前記先頭画像の前の画像を読み出して全画像をシフト表示する前画像シフトステップと、
を備えることを特徴とする請求項５記載の映像再生方法。
【請求項７】
前記第１及び第２の方向はそれぞれ表示画像の配列方向であり、前記第３及び第４の方向はそれぞれ表示画像の配列方向とは直交する方向であることを特徴とする請求項５または６記載の映像再生方法。
【請求項８】
前記デジタル画像は、ＪＰＥＧ規格に準拠した形態で符号化されて記録されているデジタル映像信号であることを特徴とする請求項１乃至７いずれかに記載の映像再生方法。
【発明の詳細な説明】
【技術分野】
【０００１】
この発明は、例えばデジタルカメラで撮影されメモリカード等に記録された多数の写真を映像表示するための映像再生装置及び映像再生方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、デジタル放送受信装置に対して、デジタルカメラで撮影されメモリカードに記録された多数の写真を映像表示させる機能も付加されている。この場合、メモリカードには、多数の写真が記録されていることから、写真表示機能を備えたデジタル放送受信装置においては、メモリカードに記録された多数の写真の中から所望の写真を容易かつ迅速に選択して表示できるようにすることが重要となる。
【０００５】
特許文献１には、所定のディレクトリ名が設定されたディレクトリに格納された画像ファイルのみを表示手段に表示させることができ、ユーザが所望する画像ファイルを容易に選択して表示させることができる技術が開示されている。
【０００６】
また、特許文献２には、記録媒体へのファイルの記録を管理する管理情報を、少なくともファイルの記録先を特定する情報、ファイル番号により形成して保持し、この管理情報の判定により、記録媒体に適宜ディレクトリを作成するとともに、ディレクトリ内においては、ファイル番号が記録順に連続するようにファイル名を設定することにより、ユーザによるファイル管理を簡略化する技術が開示されている。
【０００７】
さらに、特許文献３には、連続する複数の画像をシームレスにつないで１つのパノラマ画像を形成する技術が開示されている。
【特許文献１】特開２００３−２９９００８号公報
【特許文献２】特開２００４−０９６５８２号公報
【特許文献３】特開２００４−０７１６８６号公報
【発明の開示】
【発明が解決しようとする課題】
【０００８】
そこで、この発明は上記事情を考慮してなされたもので、記録媒体に記録された多数のデジタル画像の中から所望の画像を容易かつ迅速に選択して表示することを可能とした映像再生装置及び映像再生方法を提供することを目的とする。
【課題を解決するための手段】
【０００９】
この発明に係る映像再生装置は、記録媒体に記録された複数枚のデジタル画像を規定枚数分読み出すデジタル画像読み出し手段と、前記規定枚数分読み出されたデジタル画像を画面上に並べてサムネイル表示すると共に、前記サムネイル表示される複数画像の１枚を選択指定するためのカーソルを表示する表示手段と、前記カーソルを前記表示画像に対して１枚ずつ移動させるカーソルキー、前記規定枚数に従って前記サムネイル表示画像を頁操作する頁キーそれぞれのキー操作を検出しその指定方向を判別するキー入力処理手段と、前記キー入力処理手段で判別されるキー操作による指定方向に基づいて表示画像、表示頁を切り替える表示制御手段とを具備し、前記表示制御手段は、前記頁キーにより第１の方向が指定されたとき、表示画像を前記規定枚数分プラス方向にシフトして次頁表示とする次頁切替手段と、前記頁キーにより第２の方向が指定されたとき、表示画像を前記規定枚数分マイナス方向にシフトして前頁表示とする前頁切替手段と、前記頁キーにより第３の方向が指定されたとき、前記カーソルを表示中の末尾画像に移動させるカーソル末尾移動手段と、前記頁キーにより第４の方向が指定されたとき、前記カーソルを表示中の先頭画像に移動させるカーソル先頭移動手段とを備えることを特徴とするものである。
【００１０】
また、この発明に係る映像再生方法は、記録媒体に記録された複数枚のデジタル画像を読み出して画面上に規定枚数並べてサムネイル表示すると共に、前記サムネイル表示される複数画像の１枚を選択指定するためのカーソルを表示し、前記カーソルを前記表示画像に対して１枚ずつ移動させるカーソルキー、前記規定枚数に従って前記サムネイル表示画像を頁操作する頁キーそれぞれのキー操作を検出しその指定方向を判別し、キー操作による指定方向に基づいて表示画像、表示頁を切り替える映像再生装置に用いられ、前記頁キーにより第１の方向が指定されたとき、表示画像を前記規定枚数分プラス方向にシフトして次頁表示とする次頁切替ステップと、前記頁キーにより第２の方向が指定されたとき、表示画像を前記規定枚数分マイナス方向にシフトして前頁表示とする前頁切替ステップと、前記頁キーにより第３の方向が指定されたとき、前記カーソルを表示中の末尾画像に移動させるカーソル末尾移動ステップと、前記頁キーにより第４の方向が指定されたとき、前記カーソルを表示中の先頭画像に移動させるカーソル先頭移動ステップとを備えることを特徴とするものである。
【発明の効果】
【００１１】
上記した発明によれば、規定枚数分のデジタル画像を読み出して画面上にサムネイル表示し、頁キー操作による指定方向に従って次頁、前頁へのジャンプ、先頭、末尾へのジャンプが可能となり、記録媒体に記録された多数のデジタル画像の中から所望の画像を容易かつ迅速に選択して表示することが可能となる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネットを用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
図４は、このデジタルテレビジョン放送受信装置１１が、第１のメモリカード１９にデジタルの映像信号として記録されている多数の写真を映像表示する動作を説明するためのフローチャートを示している。
【００４５】
この動作は、ユーザによって第１のメモリカード１９がカードホルダ６６に装着されることにより処理が開始（ステップＳ４ａ）される。まず、制御部６１は、ステップＳ４ｂで、第１のメモリカード１９がカードホルダ６６に装着されたことを検出する。
【００４６】
すると、制御部６１は、ステップＳ４ｃで、第１のメモリカード１９にＪＰＥＧ（Joint Photographic Experts Group）規格に準拠した形態で符号化されて記録されている複数の写真（デジタルの映像信号）を自動的に検索し、検索された各写真を映像表示器１４にシームレスに映像表示させ、処理を終了（ステップＳ４ｄ）する。
【００４７】
この動作によれば、ユーザが第１のメモリカード１９をカードホルダ６６に装着することにより、自動的に第１のメモリカード１９に記録されている写真が検索されシームレスに映像表示されるようにしている。このため、ユーザは、煩雑な操作を行なうことなく、第１のメモリカード１９に記録されている写真を映像表示させることができ、ユーザにとっての取り扱いを容易にすることができる。
【００４８】
図５は、第１のメモリカード１９内におけるディレクトリ構造の一例を示している。このディレクトリ構造は、デジタルカメラ用の映像ファイルフォーマットであるＤＣＦ（Design rule for Camera File system）規格に準拠した階層化形態となっている。
【００４９】
すなわち、階層の最上位にあるルートディレクトリ（ＲＯＯＴ）５ａの下には、動画フォルダ５ｂ及び音声フォルダ５ｃ等が存在する他に、ＤＣＩＭフォルダ５ｄが存在する。このＤＣＩＭフォルダ５ｄは、デジタルカメラで写真を撮影し、そのデジタル映像信号を記録すると自動的に作成されるもので、その下に、撮影したデジタルカメラの製造メーカＡ，Ｂ毎にサブフォルダ５ｅ，５ｆが作成されている。
【００５０】
そして、サブフォルダ５ｅの下には、ＪＰＥＧ規格に準拠した形態の写真を格納したサブフォルダ５ｇと、ＪＰＥＧ以外の規格に準拠した形態の写真を格納したサブフォルダ５ｈが存在する。また、サブフォルダ５ｆの下にも、ＪＰＥＧ規格に準拠した形態の写真を格納したサブフォルダ５ｉが存在している。
【００５１】
図６は、カードホルダ６６に装着された第１のメモリカード１９からＪＰＥＧ規格に準拠した形態で記録されている複数の写真（デジタルの映像信号）を自動的に検索し、検索された各写真を映像表示器１４にシームレスに映像表示させる処理、つまり、図４のステップＳ４ｃの処理動作例を説明するためのフローチャートを示している。
【００５２】
この動作は、第１のメモリカード１９がカードホルダ６６に装着されたことが検出されることにより処理が開始（ステップＳ６ａ）される。すると、制御部６１は、ステップＳ６ｂで、装着された第１のメモリカード１９にＤＣＩＭフォルダ５ｄが存在しているか否かを判別し、存在していないと判断された場合（ＮＯ）、処理を終了（ステップＳ６ｉ）する。
【００５３】
また、ステップＳ６ｂで、装着された第１のメモリカード１９にＤＣＩＭフォルダ５ｄが存在していると判断された場合（ＹＥＳ）、制御部６１は、ステップＳ６ｃで、ＤＣＩＭフォルダ５ｄの下の階層に、ＪＰＥＧ規格に準拠した形態の写真が存在するか否かを判別し、存在しないと判断された場合（ＮＯ）、処理を終了（ステップＳ６ｉ）する。
【００５４】
一方、ステップＳ６ｃで、ＤＣＩＭフォルダ５ｄの下の階層に、ＪＰＥＧ規格に準拠した写真が存在すると判断された場合（ＹＥＳ）、制御部６１は、ステップＳ６ｄで、アプリケーションを起動し、ステップＳ６ｅで、ＪＰＥＧ規格の全ての写真のデジタル映像信号を（図５ではサブフォルダ５ｇ，５ｉ以下から）取得する。
【００５５】
その後、制御部６１は、ステップＳ６ｆで、取得した写真の枚数が予め設定された最大数を超過したか否かを判別し、超過していないと判断された場合（ＮＯ）、ステップＳ６ｇで、ＪＰＥＧ規格に準拠した全ての写真のデジタル映像信号の取得が完了したか否かを判別し、全ての取得が完了していないと判断された場合（ＮＯ）、ステップＳ６ｅの処理に戻される。
【００５６】
そして、ステップＳ６ｇで、ＪＰＥＧ規格に準拠した全ての写真のデジタル映像信号の取得が完了したと判断された場合（ＹＥＳ）、また、上記ステップＳ６ｆで、取得した写真の枚数が予め設定された最大数を超過したと判断された場合（ＹＥＳ）、制御部６１は、ステップＳ６ｈで、取得した写真を映像表示器１４にシームレスに映像表示させて、処理を終了（ステップＳ６ｉ）する。
【００５７】
図７は、上記の動作により、映像表示器１４に写真が映像表示された画面の一例を示している。すなわち、画面には、写真再生モードであること、第１のメモリカード１９がＳＤメモリカードであること等が表示される他に、最大で１２枚の写真が同時に映像表示（サムネイル表示）可能となっている。この表示において、リモートコントローラ１７のカーソルキー１７ｆ、ページ切換キー（以下、頁キー）１７ｉの操作によって各写真を指定するカーソルＫを移動させることで、任意の写真を選択することができる。
【００５８】
図８に図７に示すサムネイル表示された写真を選択するためのカーソル移動、写真表示切り換えの処理手順を示す。
【００５９】
図８において、写真サムネイル表示状態でリモートコントローラ１７の操作入力があった場合、カーソルキー操作か否かを判断する（ステップＳ８ａ）。カーソルキー操作の場合には、左方向の指示か否かを判断し（ステップＳ８ｂ）、左方向ならば頁末尾か否かを判断し（ステップＳ８ｃ）、頁末尾ならば一つ後の写真が表示されるように全体を＋１シフトする（ステップＳ８ｄ）。頁末尾でなければカーソルＫの位置を＋１だけシフトする（ステップＳ８ｅ）。
【００６０】
また、上記ステップＳ８ｂで左方向でなかった場合、すなわち右方向が指示されていた場合、頁先頭か否かを判断し（ステップＳ８ｆ）、頁先頭ならば一つ前の写真が表示されるように全体を−１シフトする（ステップＳ８ｇ）。頁先頭でなければカーソルＫの位置を−１だけシフトする（ステップＳ８ｈ）。
【００６１】
つまり、リモートコントローラ１７のカーソルキー１７ｆを操作して、カーソルＫを写真１よりもさらに左側に移動させるようにすると、写真１の前に存在する写真が画面に表示され、写真１２が画面から見えなくなる。逆に、リモートコントローラ１７のカーソルキー１７ｆを操作して、カーソルＫを写真１２よりもさらに右側に移動させるようにすると、写真１２の後に存在する写真が画面に表示され、写真１が画面から見えなくなる。
【００６２】
一方、上記ステップＳ８ａでカーソルキー操作でなかった場合には、頁キーの左右操作か否かを判断し（ステップＳ８ｉ）、左右操作ならば左方向の指示か否かを判断し（ステップＳ８ｊ）、左方向の指示ならば写真を＋１２コマシフトして、画面内の写真を全て後の１２コマに置き換える（ステップＳ８ｋ）。左方向指示でない、すなわち右方向指示ならば、写真を−１２コマシフトして、画面の写真を全て前の１２コマに置き換える（ステップＳ８ｌ）。
【００６３】
上記ステップＳ８ｂで頁キー操作が左右の指定でなかった場合、すなわち頁操作が上下の指定の場合、上方向の指定か否かを判断し（ステップＳ８ｍ）、上方向ならばその頁の先頭にカーソルＫを移動させ（ステップＳ８ｎ）、上方向でない、すなわち下方向ならばその頁の末尾にカーソルＫを移動させる（ステップＳ８ｏ）。これにより、同一頁内での先頭、末尾へのカーソルジャンプが可能となり、先頭側の写真から末尾側の写真を選択するような場合（あるいはその逆）に、カーソル移動の回数を減らすことができる。
【００６４】
つまり、リモートコントローラ１７の頁キー１７ｉを左右に操作することにより、表示されている１２個の写真を一気に切り換えることも可能であり、上下に操作することにより、頁内の先頭・末尾へのカーソルジャンプを行うことが可能となる。
【００６５】
以上のようにして、リモートコントローラ１７のカーソルキー１７ｆ、頁キー１７ｉを操作してカーソルＫを移動させることにより所望の写真を選択し、決定キー１７ｇを操作することにより、選択した写真を拡大表示させることができる。また、カーソルＫで指定されている写真については、そのタイトル、フォルダ名、更新日時等の属性情報が適宜表示されるようになっている。
【００６６】
したがって、上記構成によるデジタルテレビジョン放送受信装置によれば、メモリカードに記録された多数の写真の中から所望の写真を容易かつ迅速に選択して表示することが可能となる。
【００６７】
なお、上記の表示例では、サムネイル表示を２段としたが、各表示写真の大きさに応じて１段表示としたり、さらに多段表示とするようにしてもよい。その場合のカーソル移動操作は上述の実施形態と同様に処理可能である。
【００６８】
この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６９】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置がメモリカードから写真を映像表示する動作を説明するために示すフローチャート。
【図５】同実施の形態におけるメモリカード内のディレクトリ構造の一例を説明するために示す図。
【図６】同実施の形態におけるデジタルテレビジョン放送受信装置がメモリカードから写真を映像表示する動作例を説明するために示すフローチャート。
【図７】同実施の形態におけるデジタルテレビジョン放送受信装置がメモリカードから取得した写真を映像表示させた画面の一例を説明するために示す図。
【図８】図７に示す写真表示例において、写真選択のためのカーソル移動操作と表示切り換えを行うための処理フローを示すフローチャート。
【符号の説明】
【００７０】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006094407.tif 000003
【図２】
2006094407.tif 000004
【図３】
2006094407.tif 000005
【図４】
2006094407.tif 000006
【図５】
2006094407.tif 000007
【図６】
2006094407.tif 000008
【図７】
2006094407.tif 000009
【図８】
2006094407.tif 000010